(57)【要約】【課題】任意の時点から任意の時点までのランプの点灯時間を容易に確認することができる投写型映像表示装置を提供することを課題とする。【解決手段】ランプ１０から出射された光をライトバルブ５で光変調し、投写レンズ２により映像を投写する投写型映像表示装置において、ランプ１０の初期点灯時からの累計の点灯時間を記憶する点灯積算時間記憶部２８と、点灯積算時間記憶部２８が記憶しているランプ１０の点灯積算時間が所定時間に到達した際に報知を行う制御部２４とを備え、任意の時点から任意の時点までのランプ１０の点灯時間を記憶する点灯時間記憶部２９と、点灯時間記憶部２９が記憶している情報を出力する点灯時間出力部３０とが設けられている。【選択図】    図３
2006011116.tif 000002
【特許請求の範囲】
【請求項１】
ランプから出射された光をライトバルブで光変調し、投写レンズにより映像を投写する投写型映像表示装置において、前記ランプの初期点灯時からの累計の点灯時間を記憶する点灯積算時間記憶部と、点灯積算時間記憶部が記憶しているランプの点灯積算時間が所定時間に到達した際に報知を行う制御部とを備え、任意の時点から任意の時点までのランプの点灯時間を記憶する点灯時間記憶部と、点灯時間記憶部が記憶している情報を出力する点灯時間出力部とが設けられていることを特徴とする投写型映像表示装置。
【請求項２】
前記制御部は、ランプの点灯モードに基づいて点灯時間記憶部が記憶する点灯時間の重みが変更自在に構成されていることを特徴とする請求項１記載の投写型映像表示装置。
【請求項３】
前記制御部は、ランプの点灯モードに基づいて点灯積算時間記憶部が記憶する点灯時間の重みが変更自在に構成されていることを特徴とする請求項２記載の投写型映像表示装置。
【請求項４】
前記制御部は、点灯時間記憶部が記憶している情報が表示可能に構成されていることを特徴とする請求項１乃至請求項３の何れか１項に記載の投写型映像表示装置。
【請求項５】
前記制御部は、点灯時間記憶部が記憶している情報が記憶媒体へ出力可能に構成されていることを特徴とする請求項１乃至請求項４の何れか１項に記載の投写型映像表示装置。
【請求項６】
前記制御部は、点灯時間記憶部が記憶している情報が通信機能を介して出力可能に構成されていることを特徴とする請求項１乃至請求項５の何れか１項に記載の投写型映像表示装置。
【請求項７】
前記制御部は、点灯時間記憶部が記憶している情報が誤って初期化されることを防止する誤初期化防止機能を備えていることを特徴とする請求項１乃至請求項６の何れか１項に記載の投写型映像表示装置。
【請求項８】
前記制御部は、点灯時間記憶部が記憶しているランプの点灯時間が予め設定された設定時間に到達した際に報知する報知機能を備えていることを特徴とする請求項１乃至請求項７の何れか１項に記載の投写型映像表示装置。
【請求項９】
前記制御部は、報知機能を作動させた所定時間後にランプを消灯させる消灯機能を備えていることを特徴とする請求項８記載の投写型映像表示装置。
【発明の詳細な説明】
【技術分野】
【０００１】
本発明は液晶プロジェクタなどの投写型映像表示装置に関する。
【背景技術】
【０００２】
この種、投写型映像表示装置としては、ランプの初期点灯時からの累計の点灯積算時間を記憶するメモリを内蔵し、メモリが記憶するランプの点灯積算時間が所定時間に到達すると、ランプの交換表示を行うものが知られている（例えば特許文献１参照）。
【特許文献１】特開平４−５６２２号公報
【発明の開示】
【発明が解決しようとする課題】
【０００３】
このような投写型映像表示装置を貸し出すレンタル業として投写型映像表示装置を使用する場合には、投写型映像表示装置の使用時間、即ち、消耗品であるランプの点灯時間に応じて課金することが好ましい。
【０００４】
しかしながらレンタル業者は、投写型映像表示装置を貸し出してから返却される間のランプの点灯時間を容易に確認することができず、貸し出す前後のメモリの情報を読み取る必要があるため、レンタル料金の精算に時間を要してしまうという課題があった。
【０００５】
そこで本発明は、このような課題を解決するためになされたものであり、任意の時点から任意の時点までのランプの点灯時間を容易に確認することができる投写型映像表示装置を提供することを課題とする。
【課題を解決するための手段】
【０００６】
上記課題を解決するための手段は、ランプから出射された光をライトバルブで光変調し、投写レンズにより映像を投写する投写型映像表示装置において、前記ランプの初期点灯時からの累計の点灯時間を記憶する点灯積算時間記憶部と、点灯積算時間記憶部が記憶しているランプの点灯積算時間が所定時間に到達した際に報知を行う制御部とを備え、任意の時点から任意の時点までのランプの点灯時間を記憶する点灯時間記憶部と、点灯時間記憶部が記憶している情報を出力する点灯時間出力部とが設けられていることを特徴とする。
【０００７】
上記課題を解決するための手段において、前記制御部は、ランプの点灯モードに基づいて点灯時間記憶部が記憶する点灯時間の重みが変更自在に構成されてもよい。
【０００８】
また、前記制御部は、ランプの点灯モードに基づいて点灯積算時間記憶部が記憶する点灯時間の重みが変更自在に構成されてもよい。
【０００９】
また、前記制御部は、点灯時間記憶部が記憶している情報が表示可能に構成されてもよい。
【００１０】
また、前記制御部は、点灯時間記憶部が記憶している情報が記憶媒体へ出力可能に構成されてもよい。
【００１１】
また、前記制御部は、点灯時間記憶部が記憶している情報が通信機能を介して出力可能に構成されてもよい。
【００１２】
また、前記制御部は、点灯時間記憶部が記憶している情報が誤って初期化されることを防止する誤初期化防止機能を備えてもよい。
【００１３】
また、前記制御部は、点灯時間記憶部が記憶しているランプの点灯時間が予め設定された設定時間に到達した際に報知する報知機能を備えてもよい。
【００１４】
また、前記制御部は、報知機能を作動させた所定時間後にランプを消灯させる消灯機能を備えてもよい。
【発明の効果】
【００１５】
本発明の請求項１の構成によれば、任意の時点から任意の時点までのランプの点灯時間を記憶させることができると共に、その情報を出力することができるため、投写型映像表示装置をレンタルした後のランプの点灯時間を容易に確認することができる等の効果を奏する。
【００１６】
本発明の請求項２の構成によれば、ランプの明るさを減少させた際のランプの点灯時間の重みを低減させることができるため、安い料金で投写型映像表示装置を使用することができる等の効果を奏する。
【００１７】
本発明の請求項３の構成によれば、ランプの明るさを減少させた際の点灯積算時間記憶部が記憶するランプの点灯時間の重みを低減させることができるため、ランプを長時間使用することができ、ランプの長寿命化を図ることができる等の効果を奏する。
【００１８】
本発明の請求項４の構成によれば、ランプの点灯時間を表示させることができるため、使用者は投写型映像表示装置をレンタル中にランプの点灯時間を容易に確認することができる等の効果を奏する。
【００１９】
本発明の請求項５の構成によれば、点灯時間記憶部が記憶している情報は、記憶媒体に出力可能に構成されているため、記憶媒体に記憶させたデータをパソコン等で読み込むことにより容易にレンタル料金を算出することができる等の効果を奏する。
【００２０】
本発明の請求項６の構成によれば、使用者が遠隔地にいる場合でも通信機構により容易にランプの点灯時間を確認することができる等の効果を奏する。
【００２１】
本発明の請求項７の構成によれば、点灯時間記憶部が記憶している情報は、パスワード入力等の特殊な作業を行わない限り初期化することができないため、使用者が誤って点灯時間記憶部が記憶している情報を初期化してしまうことを防止することができる等の効果を奏する。
【００２２】
本発明の請求項８の構成によれば、点灯時間記憶部が記憶している時間が、予め設定された時間に到達すると報知するため、使用者にレンタル可能時間が終了間近であることを認識させることができる等の効果を奏する。
【００２３】
本発明の請求項９の構成によれば、使用可能時間が経過するとランプを消灯させるため、投写型映像表示装置の不正使用を防止することができる等の効果を奏する。
【発明を実施するための最良の形態】
【００２４】
（第１実施形態）
本発明の投写型映像表示装置の第１実施形態を図１乃至図３に基づいて説明する。
【００２５】
図１に示すように本発明の投写型映像表示装置は、後述する照明装置４等の表示光学系を内蔵した本体ケース１と、本体ケース１の前面に配置され、映像を投写する投写レンズ２と、投写する映像を調整する操作部３等から構成されている。
【００２６】
図２に示すように表示光学系は、光を照射する照明装置４と、照明装置４から出射された光を液晶ライトバルブ５の全面に導くインテグレータレンズ６と、インテグレータレンズ６と液晶ライトバルブ５間に配置され、光を赤色波長帯域の光、緑色波長帯域の光及び青色波長帯域の光に分光するダイクロイックミラー７と、各色波長帯域に分光された光を夫々透過させることにより光変調（各色映像光）する液晶ライトバルブ５と、夫々の液晶ライトバルブ５を透過した光を合成してカラー映像光とするクロスダイクロイックプリズム８と、このカラー映像光を拡大投写する投写レンズ２とから構成されている。
【００２７】
照明装置４は、相対向する4つの光源４ａ、４ｂ、４ｃ、４ｄと、光源４ａ、４ｂ間に配置された第１ミラー９ａと、光源４ｃ、４ｄ間に配置された第２ミラー９ｂとから構成されている。各光源は、超高圧水銀ランプ、メタルハライドランプ、キセノンランプ等のランプ１０からなり、その照射光はパラボラリフレクタ１１によって夫々平行光となって出射され、インテグレータレンズ６へと導かれる。
【００２８】
インテグレータレンズ６は、光軸に対して略直行する一対のフライアイレンズ６ａ、６ｂから構成され、夫々のレンズ対が照明装置４から出射された光を後述する液晶ライトバルブ５の全面に導くようになっている。この結果、照明装置４において存在する部分的な輝度ムラを平均化し、画面中央と周辺とでの光量差を低減できる。インテグレータレンズ６を経た光は、偏光変換装置１２及び集光レンズ１３を経た後、ダイクロイックミラー７へと導かれる。
【００２９】
ダイクロイックミラー７は、第１ダイクロイックミラー７ａと第２ダイクロイックミラー７ｂとから構成されている。また、液晶ライトバルブ５は、赤色波長の光が透過する第１液晶ライトバルブ５ａと、緑色波長の光が透過する第２液晶ライトバルブ５ｂと、青色波長の光が透過する第３液晶バルブ５ｃとから構成されている。
【００３０】
第１ダイクロイックミラー７ａは、赤色波長の光を透過し、シアン（緑＋青）の波長領域の光を反射する。第１ダイクロイックミラー７ａを透過した赤色波長帯域の光は、凹レンズ１４を経て反射ミラー１５にて反射されて光路が変更される。反射ミラー１５にて反射された赤色光はレンズ１６を経て赤色光用の透過型の第１液晶ライトバルブ５ａを透過することによって光変調される。一方、第１ダイクロイックミラー７ａにて反射したシアンの波長帯域の光は、凹レンズ１７を経て第２ダイクロイックミラー７ｂに導かれる。
【００３１】
第２ダイクロイックミラー７ｂは、青色波長帯域の光を透過し、緑色波長帯域の光を反射する。第２ダイクロイックミラー７ｂにて反射した緑色波長帯域の光は、レンズ１８を経て緑色光用の透過型の第２液晶ライトバルブ５ｂに導かれ、これを透過することで光変調される。また、第２ダイクロイックミラー７ｂを透過した青色波長帯域の光は、リレーレンズ１９、全反射ミラー２０、リレーレンズ２１、反射ミラー２２及びリレーレンズ２３を経て青色光用の透過型の第３液晶ライトバルブ５ｃに導かれ、これを透過することで光変調される。
【００３２】
各液晶ライトバルブ５a，５ｂ，５ｃは、入射側偏光板５ａ１、５ｂ１、５ｃ１と、一対のガラス基板（画素電極や配向膜を形成してある）間に液晶を封入しているパネル部５ａ２、５ｂ２、５ｃ２と出射側偏光板５ａ３、５ｂ３、５ｃ３とを備えている。
【００３３】
各液晶ライトバルブ５ａ、５ｂ、５ｃを経ることで変調された変調光（各色映像光）は、クロスダイクロイックプリズム８によって合成されてカラー映像光となる。このカラー映像光は、投写レンズ２によって拡大され、図示しないスクリーン上に投写表示される。
【００３４】
本発明の制御を図３に示すブロック図に基づいて詳述する。制御部２４は、操作部３の操作によりビデオやパソコン等の情報を入力する情報入力部２５と、映像等を出力する情報出力部２６と、ランプ１０を点灯あるいは消灯させるランプ駆動部２７と、ランプ１０の初期点灯時からの累計の点灯時間を記憶する点灯積算時間記憶部２８と、任意の時点から任意の時点までのランプ１０の点灯時間を記憶する点灯時間記憶部２９と、点灯時間記憶部２９が記憶しているランプ１０の点灯時間等の情報を出力する点灯時間出力部３０と、ランプ１０の明るさを低下させるエコモード入力部３１とから構成されている。
【００３５】
操作部３を操作するとビデオやパソコン等の情報が情報入力部２５を介して制御部２４に入力される。制御部２４は情報入力部２５からの入力を認識すると、ランプ駆動部２７を作動させて4つの光源４ａ、４ｂ、４ｃ、４ｄのランプ１０を点灯させると共に、情報出力部２６により投写レンズ２を介して映像を投写する。この時ランプ１０の初期点灯時からの累計のランプ１０の点灯時間は点灯積算時間記憶部２８に記憶される。また、点灯積算時間記憶部２８が記憶しているランプ１０の点灯積算時間が所定時間に到達すると警報灯３２を点滅させてランプ交換の必要性を表示する。
【００３６】
このような投写型映像表示装置をレンタル業として貸し出す場合には、本体ケース１側面に配置された点灯時間計測入力部３３を操作すると、次回のランプ１０点灯時からのランプ１０の点灯時間が点灯時間記憶部２９により記憶される。この時、ランプ１０の点灯時間計測が開始されることは、点灯時間計測入力部３３に隣接して配置されている表示部３４に表示される。また、使用中に使用者が誤って点灯時間記憶部２９の情報を初期化してしまう虞があるため、容易に点灯時間記憶部２９の情報が初期化されなくなっており、レンタル業者が設定しているパスワードをテンキーからなるパスワード入力部３５に入力することにより初期化されるようになっている。
【００３７】
使用者が現在のランプ１０の点灯時間を確認したい時には、表示切換部３６を操作することにより表示部３４にランプ１０の点灯時間が表示される。また、表示切換部３６を操作する毎にランプ１０の点灯時間の表示、ランプ１０の点灯積算時間の表示、未表示が順送りで切り換るようになっている。
【００３８】
投写レンズ２から投写される映像を多少暗くしても安い料金で投写型映像表示装置を使用したい場合には、エコモード入力部３１を操作する。こうすることにより、ランプ１０に通電する電圧を低下させると共に、ランプ１０の点灯時間の重みを、低下させた電圧に応じて低減させる。この結果、使用者は安い料金で投写型映像表示装置を使用することができる。また、エコモードに入ると表示部３４にその旨が表示される。エコモードを解除する時にはエコモード入力部３１を再度操作することにより通常の明るさのモードに切換わる。さらに、エコモードを選択することにより点灯積算時間記憶部２８が記憶するランプ１０の点灯時間の重みも低減させることができるため、ランプ１０を長時間使用することができ、ランプ１０の長寿命化を図ることができる。
【００３９】
使用者が投写型映像表示装置の使用が終了してレンタル業者に返却すると、レンタル業者はＵＳＢ端子３７に図示しないＵＳＢメモリを差し込んで点灯時間記憶部２９が記憶しているランプ１０の点灯時間をＵＳＢメモリに記憶させる。そして、このデータをパソコン等で読み込むことにより容易にレンタル料金を算出することができる。レンタル料金の精算が終了するとパスワード入力部３５を操作してパスワードを入力し、点灯時間記憶部２９が記憶しているランプ１０の情報を初期化して次のレンタルに備える。
【００４０】
このようにして、点灯時間記憶部２９により任意の時点から任意の時点までのランプ１０の点灯時間を記憶させることができると共に、その情報を出力することができるため、投写型映像表示装置をレンタルした際のランプ１０の点灯時間を容易に確認することができる。また、ランプ１０の点灯時間は表示部３４に表示させることができるため、使用者は投写型映像表示装置をレンタル中にランプ１０の点灯時間を容易に確認することができる。
【００４１】
また、点灯時間記憶部２９が記憶している情報は、レンタル業者がパスワードを入力しない限り初期化することができないため、使用者が誤って点灯時間記憶部２９が記憶している情報を初期化してしまうことを防止することができる。
【００４２】
また、点灯時間記憶部２９が記憶している情報は、ＵＳＢメモリ等の記憶媒体に出力可能に構成されているため、この記憶媒体に記憶させたデータをパソコン等で読み込むことにより容易にレンタル料金を算出することができる。
【００４３】
また、エコモード入力部３１によりランプ１０の明るさを減少させてランプ１０の点灯時間の重みを低減させることができるため、安い料金で投写型映像表示装置を使用することができる。
【００４４】
尚、第１実施形態では、点灯時間記憶部２９が記憶している情報を出力する記憶媒体としてＵＳＢメモリを使用したが、これに限定されるものではない。ＦＤ等のその他の記憶媒体を使用してもよい。
【００４５】
また、第１実施形態では、エコモード入力部３１の操作によりランプ１０の明るさを一段階暗くすると共に、ランプ１０の点灯時間の重みはそれに応じて低減させたが、これに限定されるものではない。ランプ１０の明るさを多段階に調整できるようにすると共に、ランプ１０の明るさを低減させた度合いに応じてランプ１０の点灯時間の重みを低減させる構成にしてもよい。
【００４６】
また、第１実施形態では、点灯時間記憶部２９が記憶している情報の誤初期化防止機能としてパスワードで構成したが、これに限定されるものではない。例えば、レンタル業者が保管している専用のキーを差込んだ時だけ点灯時間記憶部２９が記憶している情報が初期化可能に構成してもよい。
【００４７】
（第２実施形態）
図４は第２実施形態の投写型映像表示装置を示している。第１実施形態の投写型映像表示装置はランプ１０の点灯時間に応じて課金を行う構成であったが、第２実施形態の投写型映像表示装置は予め使用者と取り決めたランプ１０の希望使用時間に応じて前もって課金を行う構成になっている。
【００４８】
第２実施形態の投写型映像表示装置には、レンタル時間設定部３８と警告灯３０が配置されている。この投写型映像表示装置をレンタルする時には、レンタル業者は使用者に希望使用時間を確認する。そして、レンタル時間設定部３８を操作してレンタル時間を設定すると共に、点灯時間計測入力部３３を操作した後、使用者から前もって料金を徴収する。
【００４９】
使用者は、表示切換部３６を操作することによりランプ１０の点灯時間が表示部３４に表示されるため、残りの使用可能時間を確認することができる。ランプ１０の点灯時間がレンタル時間設定部３８により設定された時間に到達すると警告灯３９を点滅させて警告する。そして、その後所定時間継続使用するとランプ１０を消灯させて投写型映像表示装置の使用を禁止させる。使用者がこの投写型映像表示装置をレンタル業者に返却すると第１実施形態と同様にパスワード入力部３５を操作して点灯時間記憶部２９が記憶している情報を初期化して次のレンタルに備える。
【００５０】
このようにして、レンタル時間設定部３８により予め設定された時間に到達すると警告灯３９を点滅させるため、使用者にレンタル可能時間が終了間近であることを認識させることができる。また、その後所定時間継続使用するとランプ１０を消灯させるため、使用者の不正使用を防止することができる。
（第３実施形態）
図５は本発明の第３実施形態を示している。第１実施形態または第２実施形態は投写型映像表示装置の短期のレンタルに対応した実施形態であったが、第３実施形態は長期のレンタルに対応した形態になっている。
【００５１】
第３実施形態の投写型映像表示装置は、図示しない通信機能を有し図示しない無線ＬＡＮによりレンタル業者と接続されている。そして、点灯時間記憶部２９が記憶している情報は定期的にレンタル業者側へ送信される。
【００５２】
従って、レンタル業者は、定期的に送信される点灯時間記憶部２９が記憶している情報に基づいて課金を行うことができる。この課金はクレジット決済等にしていれば使用者が遠隔地にいる場合でも容易に課金を行うことができる。また、点灯積算時間記憶部２８が記憶している情報によりランプ１０の寿命を判別することができるため、点灯積算時間記憶部２８が記憶している情報も定期的に送信されるようにすればよい。この結果、ランプ１０の寿命を予め把握することができるため、使用者が使用中にランプ１０が寿命となって切れてしまう等の迷惑を使用者にかけることなく、レンタル業者はランプ１０の交換を前もって行うことができる。
【図面の簡単な説明】
【００５３】
【図１】本発明の第１実施形態の投写型映像表示装置の外観斜視図である。
【図２】同投写型映像表示装置の表示光学系の構成図である。
【図３】同投写型映像表示装置の制御部のブロック図である。
【図４】本発明の第２実施形態の投写型映像表示装置の外観斜視図である。
【図５】本発明の第３実施形態の投写型映像表示装置の外観斜視図である。
【符号の説明】
【００５４】
２    投写レンズ
５    液晶ライトバルブ（ライトバルブ）
１０  ランプ
２４  制御部
２８  点灯積算時間記憶部
２９  点灯時間記憶部
３０  点灯時間出力部
３９  警告灯
【図１】
2006011116.tif 000003
【図２】
2006011116.tif 000004
【図３】
2006011116.tif 000005
【図４】
2006011116.tif 000006
【図５】
2006011116.tif 000007